(57)【要約】      （修正有）【課題】抗菌・腐蝕防止複合材料及び該複合材料を用いた製品を提供する。【解決手段】抗菌・腐蝕防止複合材料１０は、固体材料である基材本体１１と、前記基材本体１１の表面に付着しており、ナノ化亜鉛金属材１２１とキャリア材１２２とを含む抗菌・腐蝕防止層１２と、を備える。該複合材料１０が金属、プラスチックまたはガラス製品の表面若しくは表面被覆層を構成可能であるため、該金属、プラスチック、ガラス製品は、抗菌・腐蝕防止の効果を奏することができる。【選択図】図１
0003205777.tif 000002
【実用新案登録請求の範囲】
【請求項１】
固体材料である基材本体と、
前記基材本体の表面に付着しており、ナノ化亜鉛金属材と、プラスチック、シリカゲルまたはゴムであるキャリア材とを含む抗菌・腐蝕防止層と、
を備えることを特徴とする抗菌・腐蝕防止複合材料。
【請求項２】
請求項１に記載の抗菌・腐蝕防止複合材料を用いた製品であって、ケースを有し、前記基材本体は、前記製品のケースであり、金属、プラスチックまたはガラス製品を含み、前記抗菌・腐蝕防止層は、前記製品の特定の表面に設けられていることを特徴とする複合材料を用いた製品。
【請求項３】
前記特定の表面は、前記製品における人体が接触可能な表面であることを特徴とする請求項２に記載の複合材料を用いた製品。
【考案の詳細な説明】
【技術分野】
【０００１】
本考案は、複合材料及び該複合材料を用いた製品に関し、特に抗菌・腐蝕防止複合材料及び該複合材料を用いた金属製品、プラスチック製品及びガラス製品に関するものである。
【背景技術】
【０００２】
一般的に日常で必要とする人工物体は、金属、プラスチック及びガラス製品、例えば料理道具、電気製品または３Ｃ製品、テーブルと椅子等が多い。これら製品の表面は、金属、プラスチックまたはガラス等の材料からなり、表面には寸法の異なる細孔またはスリットがあり、これらの細孔またはスリットには黴菌が発生または残留しやすい。人体の掌、指がこれらの日常用品（例えば料理道具、電気製品、テーブルと椅子、コンピュータ、マウス、キーボードのケース等）によく接触するため、上記製品の表面に抗菌効果を有せずかつ細菌と病毒が付着しやすい場合において、極めて疾病が伝播する媒介となりやすい。
【０００３】
従来より、ユーザが上記金属、プラスチック、ガラス製品を接触または使用する前に、まずスプレーまたはスプレー製品をしばらくこれら製品の表面に噴き付けることでこれら製品表面に残留する細菌または病毒を殺すような抗菌作用を有するスプレーやスプレー製品があるが、スプレーはすべての金属、プラスチック、ガラス製品に適用するわけではなく、各種の製品の抗菌の表面層として機能することができない。しかも、スプレーやスプレー製品がユーザの肌に付着しやすいため、人体に入りすぎると、人体の健康に危害をもたらす。従って、利用性は限られている。さらに、スプレーやスプレー製品が使用時に匂いが生じるため、人に不快感を与えやすくなり、又、空気中に逸散したり土壌に流されたりすると、環境に危害をもたらす可能性もある。また、従来の抗菌消毒剤が水と消毒薬とが混合されてなるスプレー形態であり、水が蒸発した後、抗菌効果を有しなくなり、抗菌時効は最大でも６時間であり、繰り返し利用可能な抗菌効果を有しない。
【考案の概要】
【考案が解決しようとする課題】
【０００４】
そこで、本考案は、金属、プラスチックまたはガラス製品の表面に適用可能であり、安全レベルを向上するとともに抗菌・腐蝕防止時効を長くする抗菌・腐蝕防止複合材料を提供することを目的とする。また、本考案は、該複合材料を用いた製品を提供する。
【課題を解決するための手段】
【０００５】
本考案は、固体材料である基材本体と、前記基材本体の表面に付着しており、ナノ化亜鉛金属材と、プラスチック、シリカゲルまたはゴムであるキャリア材と、含む抗菌・腐蝕防止層と、を備えることを特徴とする抗菌・腐蝕防止複合材料を提供する。
【０００６】
また、本考案に係る複合材料が金属製品に適用可能であるため、金属製品の特定の表面は、抗菌・腐蝕防止層を有する。一実施例において、該製品は、ケースを有し、該基材本体は、該金属製品の金属ケースであり、該特定の表面は、該金属製品における人体が接触可能な表面である。
【０００７】
又、本考案に係る複合材料がプラスチックまたはガラス製品に適用可能であるため、プラスチックまたはガラス製品の特定の表面は抗菌・腐蝕防止層を有する。一実施例において、該基材本体は、該プラスチックまたはガラス製品のケースであり、該特定の表面は、該プラスチックまたはガラス製品における人体が接触可能な表面である。
【考案の効果】
【０００８】
本考案に係る抗菌・腐蝕防止複合材料及び該複合材料を用いた製品によれば、該複合材料におけるナノ亜鉛は、殺菌と細菌抑止機能を兼ね持つ新型のナノ複合物であり、細菌の細胞膜に直接進入可能であり、その活性を素早く遮断・破壊させ、抗菌、殺菌または滅菌の目的を達成することができ、哺乳動物の真核細胞に影響を及ぼすことはない。さらに、ナノ化亜鉛は、人体に危害を与えないどころか、人体に必要な微量鉱物元素の一つである。また、本考案に係る複合材料は、人体に無毒無刺激性の安全性テストを通過したため、安全の滅菌メカニズムにより複数のスーパー的なメチシリン耐性黄色ブドウ球菌（Ｍｅｔｈｉｃｉｌｌｉｎ−ｒｅｓｉｓｔａｎｔ  Ｓｔａｐｈｙｌｏｃｏｃｃｕｓ  ａｕｒｅｕｓ）または多剤耐性黄色ブドウ球菌（Ｍｕｌｔｉｐｌｅ−ｒｅｓｉｓｔａｎｔ  Ｓｔａｐｈｙｌｏｃｏｃｃｕｓ  ａｕｒｅｕｓ）を殺すことができる。
【図面の簡単な説明】
【０００９】
【図１】本考案に係る複合材料の使用状態の断面模式図である。
【図２】本考案に係る複合材料が金属製品に適用される実施例の模式図である。
【図３】本考案に係る複合材料がプラスチック製品に適用される実施例の模式図である。
【考案を実施するための形態】
【００１０】
図面を参照ながら本考案に係る実施例を説明する。添付の図面はいずれも簡単化された模式図であり、本考案に係る基本的構造を模式的に説明する。図面には本考案に係る素子のみが標示され、標示された素子は実施時の数、形状、寸法の比例に基づいて描かれたものではなく、実際に実施する場合の規格寸法は選択的設計であり、その素子レイアウト形態はより複雑になる可能性がある。
【００１１】
図１を参照すると、本考案に係る抗菌・腐蝕防止複合材料１０は、基材本体１１と、抗菌・腐蝕防止層１２とを含む。基材本体１１は、抗菌・腐蝕防止層１２が付着する固体材料である。抗菌・腐蝕防止層１２は、基材本体１１の表面に付着しており、ナノ化亜鉛金属材（ナノ亜鉛粒子材）１２１と、プラスチック、シリカゲルまたはゴムであるキャリア材１２２とが混合されてなる。
【００１２】
本考案に係る抗菌・腐蝕防止層１２の殺菌メカニズムは、接触性殺菌方法を採用している。そのうち、ナノ化亜鉛金属材１２１の正電荷を持つ亜鉛イオンは、病菌Ａ（例えば大腸桿菌、肺炎桿菌、緑膿桿菌、メチシリン耐性黄色ブドウ球菌、黴菌等）に接触したとき、病菌の細胞壁が負電荷を持つのが多く、正、負イオン量がバランスである場合に引っ張り力が生じるため、細胞壁が引っ張り破られ破れ穴が発生し、細胞壁の生成または合成ができなくなり、繁殖に影響を与えている。負電荷により亜鉛イオンが細菌体内に吸引されチオール基、水素基等の官能基と結合された場合、細胞は蛋白質の変質によって催化またはその他の反応が正常にできず、病菌が死亡しかつ完全に消失するまで代謝に影響を与えてしまう。
【００１３】
抗菌・腐蝕防止層１２が製品の特定の表面に設けられた場合、該製品表面が抗菌・腐蝕防止の機能を有するため、該製品は、抗菌・腐蝕防止の製品となる。一実施例において、基材本体１１は、該製品のケースを含み、又、基材本体１１の材質は、金属、プラスチックまたはガラスである。
【００１４】
図２は、複合材料１０を金属製品２０に適用する一実施例を示す。金属製品２０は、金属表面を有する電気釜である。金属製品２０の特定の表面または一部の表面には複合材料１０を有する。若しくは、金属製品２０の特定表面の金属ケースは、基材本体１１である。このため、金属製品２０の表面は、抗菌・腐蝕防止層１２を有し、持続的な抗菌、細菌抑止、滅菌及び腐蝕防止の効果を奏することができる。
【００１５】
図３は、複合材料１０をプラスチップ製品３０に適用する一実施例を示す。プラスチップ製品３０は、プラスチック腰掛けであり、プラスチップ製品３０の特定の表面または一部の表面には複合材料１０が被覆されている。若しくは、プラスチップ製品３０の特定の表面のプラスチックケースは、基材本体１１である。このため、プラスチップ製品３０の表面は、抗菌・腐蝕防止層１２を有し、抗菌、細菌抑止、滅菌及び腐蝕防止の効果を奏することができる。
【００１６】
上記のように、これらの実施の形態は本考案の好ましい実施例のみであり、本考案の特許請求の範囲に基づいてなされる等価の変更や修飾は、本考案の技術範囲に入るものである。
【００１７】
以上のように、本考案では、固体材料である基材本体と、前記基材本体の表面に付着しており、ナノ化亜鉛金属材と、プラスチック、シリカゲルまたはゴムであるキャリア材と、含む抗菌・腐蝕防止層と、を備えることを特徴とする抗菌・腐蝕防止複合材料とするものである。
【００１８】
また、請求項１に記載の抗菌・腐蝕防止複合材料を用いた製品であって、ケースを有し、前記基材本体は、前記製品のケースであり、金属、プラスチック、ガラス製品を含み、前記抗菌・腐蝕防止層は、前記製品の特定の表面に設けられていることを特徴とする複合材料を用いた製品とするものである。
【００１９】
また、前記特定の表面は、前記製品における人体が接触可能な表面であるものとする。
【産業上の利用可能性】
【００２０】
本考案に係る抗菌・腐蝕防止複合材料及び該複合材料を用いた製品によれば、該複合材料におけるナノ亜鉛は、殺菌と細菌抑止機能を兼ね持つ新型のナノ複合物であり、細菌の細胞膜に直接進入可能であり、その活性を素早く遮断・破壊させ、抗菌、殺菌または滅菌の目的を達成することができ、哺乳動物の真核細胞に影響を及ぼすことはない。さらに、ナノ化亜鉛は、人体に危害を与えないどころか、人体に必要な微量鉱物元素の一つである。また、本考案に係る複合材料は、人体に無毒無刺激性の安全性テストを通過したため、安全の滅菌メカニズムにより複数のスーパー的なメチシリン耐性黄色ブドウ球菌（Ｍｅｔｈｉｃｉｌｌｉｎ−ｒｅｓｉｓｔａｎｔ  Ｓｔａｐｈｙｌｏｃｏｃｃｕｓ  ａｕｒｅｕｓ）または多剤耐性黄色ブドウ球菌（Ｍｕｌｔｉｐｌｅ−ｒｅｓｉｓｔａｎｔ  Ｓｔａｐｈｙｌｏｃｏｃｃｕｓ  ａｕｒｅｕｓ）を殺すことができる。
【符号の説明】
【００２１】
１０  抗菌・腐蝕防止複合材料
１１  基材本体
１２  抗菌・腐蝕防止層
１２１  ナノ化亜鉛金属材
１２２  キャリア材
２０  金属製品
３０  プラスチップ製品
Ａ  病菌
【図１】
0003205777.tif 000003
【図２】
0003205777.tif 000004
【図３】
0003205777.tif 000005